(57)【要約】【課題】糠収容容器への糠の一部を糠パック装置へ供給する場合の効率化を図る。【解決手段】建屋２１内に、利用者が出入りする操作室１と、精米装置２、糠パック装置５０を備えた機械室３を配置し、玄米ホッパ１７に投入した玄米を精米装置２で精米処理し白米を白米ホッパ５に排出する精米設備において、精米装置２処理によって発生する糠を空気搬送する吸引排塵機３６と正転又は逆転連動可能なラセン４５を内装するラセン搬送筒４４を設け、糠パック装置５０へ糠供給するときはラセン４５を連続正転としラセン搬送筒４４内に滞留待機させるときはラセン４５を間欠正転とすべく構成した。【選択図】図１２
2020142225.tif 000002
【特許請求の範囲】
【請求項１】
建屋（２１）内に、利用者が出入りする操作室（１）と、精米装置（２）、糠パック装置（５０）を備えた機械室（３）を配置し、玄米ホッパ（１７）に投入した玄米を前記精米装置（２）で精米処理し白米を白米ホッパ（５）に排出する精米設備において、前記精米装置（２）処理によって発生する糠を空気搬送する吸引排塵機（３６）と正転又は逆転連動可能なラセン（４５）を内装するラセン搬送筒（４４）を設け、前記糠パック装置（５０）へ糠供給するときは前記ラセン（４５）を連続正転とし前記ラセン搬送筒（４４）内に滞留待機させるときは前記ラセン（４５）を間欠正転とすべく構成した精米設備。
【請求項２】
前記ラセン（４５）の連続正転によって前記糠パック装置（５０）へ糠を供給した後、次の糠パック（Ｐ）の準備工程中には間欠正転する構成とした請求項１に記載の精米設備。
【請求項３】
前記吸引排塵機（３６）で搬送される糠を収容するための糠収容容器（３９）側又は前記糠パック装置（５０）側に切換わる切換弁（４０）を設け、前記切換弁（４０）が前記糠パック装置（５０）側に切換わると、前記ラセン搬送筒（４４）の前記ラセン（４５）の連続正転によって前記糠パック装置（５０）に糠供給するとき、前記ラセン（４５）の連続正転による糠パック（Ｐ）への所定量充填に達する前に前記切換弁（４０）を前記糠収容容器（３９）側に切換え、かつ前記ラセン搬送筒（４４）内に残留する糠を前記ラセン（４５）の連続正転により糠パック（Ｐ）へ供給すべく構成し、前記ラセン（４５）の連続正転後、次の糠パック（Ｐ）の準備工程中に前記ラセン（４５）を逆転するよう構成した請求項２に記載の精米設備。
【請求項４】
次の糠パック（Ｐ）の準備工程中に前記ラセン搬送筒（４４）の前記ラセン（４５）を所定時間逆転した後間欠正転するよう構成した請求項３に記載の精米設備。
【請求項５】
白度設定器（２５）を備え、白度を所定の高い側に設定すると前記切換弁（４０）は前記ラセン（４５）の間欠正転開始後に前記糠パック装置（５０）側に切り換わり、白度を所定の低い側に設定すると前記切換弁（４０）は前記ラセン（４５）の逆転中に前記糠パック装置（５０）側に切り換わる構成とした請求項４に記載の精米設備。
【発明の詳細な説明】
【技術分野】
【０００１】
本発明は、利用者が持参した玄米を精米する精米設備に関する。
【背景技術】
【０００２】
精米設備は、操作室（客室）と機械室に区切られ、機械室には精米装置、糠処理装置等を備え、精米装置の除糠網から漏下しサイクロンを経て分離した糠は、ラセンを内装した搬送筒で構成される搬送手段を経て糠袋等の糠回収手段に回収されるようになっている。また上記ラセンを逆転することで搬送筒を逆送させて糠パック装置に供給し所定にパック詰めした糠袋を操作室の利用者に還元できる構成としている（特許文献１）。
【先行技術文献】
【特許文献】
【０００３】
【特許文献１】特開２０１７‐９４２９９号公報
【発明の概要】
【発明が解決しようとする課題】
【０００４】
特許文献１の構成は、精米装置運転に伴って発生する糠を適宜に機械室内の糠収容容器に収容したり、糠パック装置に供給して利用者に還元できる点で優れる。しかしながら、糠パック装置と糠収容容器への糠搬送の切換をラセンの正逆転によって行わせるが、搬送手段の残留糠の取扱いや糠パック処理の効率化に配慮がない。
【０００５】
本発明は、糠収容容器への糠の一部を糠パック装置へ供給する場合の効率化を図ることを課題とする。
【課題を解決するための手段】
【０００６】
かかる課題を解決するために、請求項１記載の発明は、建屋２１内に、利用者が出入りする操作室１と、精米装置２、糠パック装置５０を備えた機械室３を配置し、玄米ホッパ１７に投入した玄米を精米装置２で精米処理し白米を白米ホッパ５に排出する精米設備において、精米装置２処理によって発生する糠を空気搬送する吸引排塵機３６と正転又は逆転連動可能なラセン４５を内装するラセン搬送筒４４を設け、糠パック装置５０へ糠供給するときはラセン４５を連続正転としラセン搬送筒４４内に滞留待機させるときはラセン４５を間欠正転とすべく構成した精米設備とする。
【０００７】
請求項２に記載の発明は、請求項１に記載の発明において、ラセン４５の連続正転によって糠パック装置５０へ糠を供給した後、次の糠パックＰの準備工程中には間欠正転する構成とした。
【０００８】
請求項３に記載の発明は、請求項２に記載の発明において、吸引排塵機３６で搬送される糠を収容するための糠収容容器３９側又は糠パック装置５０側に切換わる切換弁４０を設け、切換弁４０が糠パック装置５０側に切換わると、ラセン搬送筒４４のラセン４５の連続正転によって糠パック装置５０に糠供給するとき、ラセン４５の連続正転による糠パックＰへの所定量充填に達する前に切換弁４０を糠収容容器３９側に切換え、かつラセン搬送筒４４内に残留する糠をラセン４５の連続正転により糠パックＰへ供給すべく構成し、ラセン４５の連続正転後、次の糠パックＰの準備工程中にラセン４５を逆転するよう構成した。
【０００９】
請求項４に記載の発明は、請求項３に記載の発明において、次の糠パックＰの準備工程中にラセン搬送筒４４のラセン４５を所定時間逆転した後間欠正転するよう構成した。
【００１０】
請求項５に記載の発明は、請求項４に記載の発明において、白度設定器２５を備え、白度を所定の高い側に設定すると切換弁４０はラセン４５の間欠正転開始後に糠パック装置５０側に切り換わり、白度を所定の低い側に設定すると切換弁４０はラセン４５の逆転中に糠パック装置５０側に切り換わる構成とした。
【発明の効果】
【００１１】
請求項１に記載の発明により、空気搬送で糠を搬送して収容する糠収容容器３９に対応できる。また、請求項１及び請求項２に記載の発明によると、間欠正転により糠パックＰに供給する所定量の糠をラセン搬送筒４４に滞留待機させることができ、連続正転で糠パック装置５０へ迅速に供給できる。
【００１２】
請求項３に記載の発明によると、請求項２に記載の効果に加え、
連続正転の終了後には、逆転を行うことで、糠パック装置５０へラセン搬送筒４４に残留する糠が供給されることを防止することができる。
【００１３】
請求項４に記載の発明によると、請求項３に記載の効果に加え、次の糠パックＰを準備する工程中に適切な量の糠をラセン搬送筒４４に貯留させることが可能となる。
【００１４】
請求項５に記載の発明によると、請求項4に記載の効果に加え、糠の発生量が多い高い白度の場合には、切換弁３６をラセン４５の間欠正転後に糠パック装置５０側へ切換え、糠の発生量が少ない低い白度の場合には、逆転中に切換えることで、適正な量の糠をラセン搬送筒４４へ供給することができる。
【図面の簡単な説明】
【００１５】
【図１】コイン精米機の平面配置図である。
【図２】糠処理部の側面図である。
【図３】仕切壁部の正面図である。
【図４】精米工程を示す概要フロー図である。
【図５】糠パック装置部の側面図である。
【図６】（Ａ）（Ｂ）糠パック作用状態を示す側面図である。
【図７】糠パック収容室部の斜視図である。
【図８】（Ａ）フィルムロール部の平面図と、（Ｂ）側面図である。
【図９】（Ａ）（Ｂ）ラセン搬送筒部の取付け構成を示す側面図である。
【図１０】（Ａ）（Ｂ）接続シュート部の着脱状態を示す正断面図である。
【図１１】制御ブロック図である。
【図１２】タイムチャートである。
【図１３】フローチャートである。
【図１４】フローチャートである。
【発明を実施するための形態】
【００１６】
図面に基づいて、コイン精米機は、精米するための所定量の玄米を、コイン精米機に持込んで、所定金額の精米コインをコインメック２０に供給することによって、精米装置２が自動運転されて、精米された白米を白米ホッパ５に取出すものである。建屋２１は、操作室１と機械室３とに仕切壁４を介して仕切られて、この仕切壁４に前記コインメック２０や、精米白度を設定する白度設定器２５、操作手順ボード２６等を設け、この左手側に精米すべき玄米を供給する玄米ホッパ１７を設け、右手側に精米された白米を収容する白米ホッパ５を配置し、作業者はこの白米ホッパ５下側の白米口６部に白米袋Ａの袋口Ｂをのぞませて、精米後の白米を袋詰することができ、精米使用者は、この袋詰めした白米袋Ａを袋詰室７から前側の操作室１へ取り出して持ち帰ることができる。
【００１７】
前記機械室３には、前記玄米ホッパ１７から精米装置２に至る搬送経路に、精選された玄米を揚穀する昇降機１３や、石礫を選別除去する石抜装置１４、わら屑等を選別除去する揺動選別装置１５等を配置し、この揺動選別装置１５と精米装置２の精米ホッパ１８との間には、選別された玄米を搬送供給する昇降機１９を設けている。この昇降機１９、及び精米ホッパ１８を経て搬送供給される玄米を、精米装置２内部を通して搬送する間に精米して、この精米装置２から白米ホッパ５に至るシュート１６等を経て白米ホッパ５へ取り出すように搬送構成する。
【００１８】
前記揺動選別装置１５では、玄米から石抜装置１４による石抜き選別作用が行われると共に、わら屑等の選別除去が行われて、玄米が、昇降機１９へ搬送されて、精米装置２へ供給される。そして、石抜装置１４によって選別された石礫は、石抜容器２３に収容され、わら屑等は、わら屑容器に収容される。前記精米装置２で発生する糠は、吸引排塵機３６、糠搬送筒３７、サイクロン３８によって搬送されて、建屋外に設置の糠収容容器としての糠収容庫３９に貯留される。なお、糠収容庫３９は開閉扉を有し雨水を防ぐ外壁に囲まれた内部に収容室を備えるものである。
【００１９】
前記玄米ホッパ１７は、仕切壁４の横端の玄米供給口２７部において、機械室３の昇降機１３底部にのぞませて設け、この玄米ホッパ１７に投入した玄米を揚穀して揺動選別装置１５の上側にのぞむ揚穀ホッパ２８に供給し、この揚穀ホッパ２８から選別装置１５へ流下させることによって、玄米の石抜き、わら屑選別等の選別作用を行わせる。
【００２０】
前記揺動選別装置１５は、上面に揺上げ突起を密植形成した揺動選別板を設けて、前記ホッパ２８からこの上面に供給された玄米を揺動しながら比重選別するもので、揺動選別板面の下層部に沈降位置する石礫を揺り上げ搬送して石抜装置１４の石抜口３１から排出させると共に、上層に浮揚位置する軽い玄米層や、わら屑等は、揺動選別板の傾斜下端縁側の玄米出口３２や、わら屑排出口３３側へ流下排出させて、これら、わら屑等の異物と、粗大石礫等の異物とを、玄米から分離選別することができる。 
このようにして石抜装置１４や、揺動選別装置１５等で石抜選別された玄米や、一部前記石抜口３１や、玄米出口３２等に取出される玄米を、昇降機１９で搬送して精米装置２の精米ホッパ１８へ供給して、精米作用を受けさせる。精米ホッパ１８から精米装置２へ供給された玄米が所定白度に精米されると、白米ホッパ５に取出収容される。精米装置２内には、排塵機３６の吸引風が働いて、除糠作用が行なわれ、精米摩擦熱が冷却される。
【００２１】
玄米ホッパ１７には投入された玄米量を検出するセンサ３４を配置し、底部にはこの玄米を昇降機１３へ繰出し供給するすオーガ３５を設けている。
【００２２】
前記白米袋室７では、白米袋Ａの袋口Ｂを、白米ホッパ５の白米口６をのぞませて、白米を袋詰めすることができる。この白米袋詰室７は、手前、操作室１側に袋詰室口１２を開口形成して、この奥側三方側壁の、左側壁と、右側壁、及び奥側壁部とを、平面視コ字状形態の囲い壁板で構成して、外周部の機械室３部との間を仕切形成している。この袋詰室７の床面に袋受台１０を設置する。この袋受台１０には、左右両側部に平行状に構成した台枠間に亘って、多数本のロール軸の両端部を架設し、この回動自在のロールの上側に白米袋の底部を支持して、袋詰後の白米袋の取り出しを行い易くすることができる。
【００２３】
ここにおいて、精米利用者の出入りする操作室１と精米装置２を設置する機械室３との間を仕切る仕切壁４部に、精米装置２から取出される白米を収容する白米ホッパ５と、この白米ホッパ５の白米口６から取出される白米を袋詰めする白米袋詰室７を形成する精米機において、前記白米袋詰室７の横側に、フィルムシートＦを引出しながら糠をパックＰ詰めする糠パック装置５０と、この糠パック装置５０で形成された糠パックＰを前記仕切壁４の糠パック排出口５１から操作室１側の糠パック収容室５２へ流下案内する傾斜の糠パックシュート５３を設け、この糠パック収容室５２には、前記糠パック装置５０に供給するためのロール巻き形態のフィルム（フィルムシート）ロールＦを装填可能に設けたことを特徴とする精米機の糠取装置の構成とする。
【００２４】
精米作業するときは、白米袋詰用の空袋の袋口部を、袋詰室口１２から袋詰室７内へ差し入れて、白米ホッパ５の白米口６の外周部に嵌合させて、白米袋詰可能の形態とするか、又は、白米ホッパ５の白米口６のシャッターを閉めた状態にして、持込玄米を玄米ホッパ１７に供給して、精米作業を行わせることができる。玄米ホッパ１７から昇降機１３や、揺動選別装置（又は、石抜き装置）１５、昇降機１９、及び精米ホッパ１８等を経て、精米装置２へ供給された玄米は、精米作用を受けて、多量の糠を発生し、白米を調整することができる。この精米装置２で精米された白米は、白米ホッパ５に取出収容されて、この白米口６にのぞませる白米袋に取出収容することができる。
【００２５】
又、前記精米装置２において所定の精白度に精米されるとき、玄米粒子表面から剥離された糠層が、選別分離されて、精米装置２の精米室から除糠される。
【００２６】
精米装置２の精米処理により発生した糠を吸引及び搬送する吸引排塵機３６と、糠を空気搬送する第一糠搬送筒３７と、空気搬送された糠と空気とを分離する第一サイクロン３８とを設け、糠収容室３９に収容できるよう構成している。糠収容室３９は、建屋２１から離れて設置し、第一糠搬送筒３７を建屋２１壁部を貫通して外部に延長し糠収容室３９の上部に設置した第一サイクロン３８に連結する。第一サイクロン３８によって捕捉された糠は糠収容室３９室内下方から堆積する構成である。第一糠搬送筒３７の途中には切換弁４０を設け、第二糠搬送筒４１を経て前記ラセン搬送筒４１上部の第二サイクロン４２に移送でき、前記糠パック装置５０へ糠供給できる構成としている。
【００２７】
したがって、糠は、切換弁４０が糠収容室３９側に切り換えられているときは、吸引排塵機３６の作用で第一糠搬送筒３７、第一サイクロン３８を経て糠収容室３９に収容される。また精米使用者が、糠パックＰを取得する場合は、この糠パックＰの取得操作によって、前記精米装置２から除糠された一部の糠は、切換弁４０から第二搬送筒４１、第二サイクロン４２、ラセン搬送筒４４を経て糠パック装置５０へ供給されて、この糠パック装置５０によって、フィルムシートＦによって所定量毎にパックＰ詰めされる。このパックＰ詰めされた糠パックＰは、傾斜状態の糠パックシュート５３の上面に受けられて、操作室１側へ滑落される。 
このとき、機械室３の前記白米袋詰室７の横側近傍位置で落下された糠パックＰは、糠パックシュート５３の傾斜面に沿って滑落して、途中の仕切壁４の糠パック排出口５１から操作室１側の糠パック収容室５２内へ流下される。精米使用者はこの糠パック収容室５２内に流下された糠パックＰを取出して持ち帰ることができる。
【００２８】
又、糠パックＰを取得するためのフィルムロールＦは、前記精米作用を行うにあたって予め、この糠パック収容室５２内部に装填しておくものであるが、このフィルムロールＦが使用によって少なくなったり、新しいものと交換、乃至補給しなければならない場合等のときは、新しいフィルムロールＦを糠パック収容室５２の所定個所に装填して糠パックＰ形成可能の状態に維持できる。
【００２９】
又、前記操作室１に配置の糠パック収容室５２には、糠パックシュート５３上面を滑落して収容された糠パックＰを取出可能のボックス口５４と、このボックス口５４を開閉するボックス口開閉板５５を設け、前記糠パックシュート５３の下側部には、前記フィルムロールＦを引出供給可能に収容するフィルムロール室５６を設け、このフィルムロール室５６の側面部に、フィルムロールＦを装填可能のロール室口５７と、このロール室口５７を開閉可能のロール室口開閉板５８を設ける。
【００３０】
前記糠パックＰを滑落案内する糠パックシュート５３を有する糠パック収容室５２は、操作室１側面に開口するボックス口５４と、これを開閉するボックス口開閉板５５を有するため、前記糠パックシュート５３を経て滑落される糠パックＰを、この糠パック収容室５２内に収容させることができ、精米終了後は、このボックス口５４のボックス口開閉板５５を開くことによって、糠パックＰを取出すことができる。
【００３１】
又、前記糠パックシュート５３の下側に形成するロール室５６の側面部には、ロール室口５７と、これを開閉するロール室口開閉板５８を設けるため、糠パックＰを得るときは、このロール室口開閉板５８を開いて、フィルムロール室５６内に糠パックＰ形成用のフィルムロールＦを装填しておくことができる。
【００３２】
更に、前記糠パック収容室５２内のフィルムロール室５６を覆う糠パックシュート５３は、このフィルムロール室５６の上側部の開閉可能に構成し、又は、前記ロール室口開閉板５８を開閉することによって、このフィルムロール室５６の上側部の糠パックシュート５３を開閉可能に構成する。 
前記のように糠パック収容室５２内の糠パックシュート５３は、糠パックＰを受けて直ちに滑落させることができ、糠パック収容室５２内へ収容案内させる。この糠パックシュート５３を開くことによって、ロール室５６の上側面を広く開放することができ、上側部からのフィルムロールＦの装填状態を的確に点検し易くする。
【００３３】
又、ロール室口５７のロール室口開閉板５８を開くことによって、このロール室口５７からのフィルムロールＦを装填することができる。又は、このロール室口開閉板５８を開閉することによって、これと連動して、糠パックシュート５３を開閉操作可能とすることができるもので、フィルムロール室５６は、ロール室口開閉板５８と、糠パックシュート５３を同時に開いて、フィルムロールＦ部の装填、乃至作動状態等を点検し易くする。
【００３４】
前記精米装置２の除糠網から漏下する糠は、吸引排塵機３６であるブロアによって吸引搬送されて、糠搬送筒３７、サイクロン３８へ吹込搬送される。前記機械室３の糠パック装置５０部から、この奥側に亘る上部位置には、ラセン４５を有した搬送筒４４を配置して、前記サイクロン糠搬送筒３７を分岐して第二糠搬送筒４１、第二サイクロン４２を経て供給される糠をラセン４５の回転によって糠パック装置５０上にのぞむ排出口筒４９へ搬送する。前記搬送筒４４の一端部に設けるギヤドモータ４７は、後述のように正、逆回転に切替えることができる。
【００３５】
前記糠搬送用の搬送筒４４は、建屋２１の天井部材に対して、ハンガブラケット６０を介して装着し、配置位置を変更可能に設けている。この排出口筒４９を有する搬送筒４４の下側部には、コロ６３を有して糠パック装置５０を装着して、キャス夕６１を有して床面を移動可能の架台フレーム６２の上面に摺動可能に支持することができ、これら搬送筒４４や、架台フレーム６２等の移動、調整を行い易く設定している。
【００３６】
前記糠パック装置５０上端部の供給口シュート６４にのぞむ排出口筒４９には、下端縁にインシュレータ６５を介して嵌合接続する接続シュート６６を、パッチン錠６７によって着脱可能に設けている。又、前記排出口筒４９の上端縁６８は、ラセン搬送筒４４の排出口部のボルト６９締めによって着脱可能に構成している。前記糠パック装置５０は、供給口シュート６４と共に昇降して、糠パックＰを形成させるが、この糠パック詰作用を行わせる間は、供給口シュート６４が一定の位置に上昇して、シュート６４内部に接続シート６６を適宜深さ位置に嵌合させた状態にあり、糠のパック詰め供給を正確に行わせる。
【００３７】
前記架台フレーム６２に構成する糠パック装置５０は、上下方向のガイドロッド７０に沿って昇降案内されるプレート７１に、漏斗状、乃至クサビ状形態のフィルムガイド７２や、このフィルムガイド７２の内面に沿ってフィルムシートＦを引出して、フィルム側縁や、底縁部、及び供給口縁部を電熱接着して糠パック用のフィルム袋を構成するフィルム溶着装置７８を設け、このプレート７１の上限位置と、前記搬送筒４４の排出口筒４９との間の架台フレーム６２上の供給リング３８部には、中央部に漏斗状の供給シュート４９を嵌合させて支持し、この供給シュート６４の下端部外周部にパックＰ口部を開口把持したり、閉口把持するフィルムフィンガ７４を配置している。前記プレート７１の昇降は、モータ７５によって駆動されるチエン７６により行われる。又、前記フィルム側縁部を挟持溶着する溶着装置７８は、フレーム６２に対して昇降の昇降アーム７９に装着されるが、この昇降アーム７９を、モータ８０で駆動するチエン７７を介して昇降される。この昇降アーム７９に糠フィルムパックＰの袋口位置を検出する袋口センサ７３が設けられていて、このセンサ７３の下降位置ではパック袋Ｐの底部を溶着形成し、上昇位置では袋口部を溶着するように溶着装置７８を作動させることができる。
【００３８】
前記製袋用のフィルム（ビニールシート形態）Ｆをロール巻きにして、操作室１の糠パック収容室５２底部のフィルムロール室５６に装填しておくが、このフィルムＦは、前記糠パックシュート５３の下側部に沿って機械室３のフィルムガイド７２位置に亘って引き出されるようにして供給される。このフィルムロールＦを収容するフィルムロール室５６の底部には、このフィルムロールＦの下面を支持する一対の支持ロール８１を支持台８４に設けて、モータ８２によってフィルムロールＦを回転させて、フィルムの引出力を軽快に行わせるように補助するが、この一対の支持ロール８９間に支持されて引出回動されるフィルムロールＦ径が小さくなると、下動して、リミットスイッチ８３をＯＮして、フィルムロールＦを新しいものと交換するように警報器等を出力して促すものである。
【００３９】
前記糠パック収容室５２は、内底部に糠パックシュート５３の下端部を支持軸８５の周りに前後回動可能に設け、奥側の仕切壁４側へ回動すると、上面を適宜傾斜面にして、糠パックＰが滑落し易くなると共に、フィルムロール室５６の上側面を覆う形態となる。糠パックシュート５３を上方へ起した状態では、フィルムロール室５６の上面を開放状態とすることができ、底部のフィルムロールＦの状態を点検し易くなる。又、前記糠パック収容室５２の上面は常時開口状態に構成して、糠パックＰ取出すことができるように構成しているが、これにボックス蓋を装着可能に構成することもできる。
【００４０】
前記糠パック収容室５２の前側面側にボックス口５４、及びボックス口開閉板５５を設けて、収容した糠パックＰを取出可能に構成することもできる。
【００４１】
又、前記ロール室口５７、及びこれを開閉するロール室口開閉板５８は、前記フィルムロールＦを収容するロール室５６の白米袋詰室７側の側面に構成して、内部の支持ロール８１上におけるフィルムロールＦの出し入れ交換を行い易く構成している。
【００４２】
前記ラセン搬送筒４４は、第二サイクロン４２の下部に接続されていて、内装するラセン４５の一端部に設けるギヤドモータ４７の正転によって糠を糠パック装置５０上にのぞむ排出口筒４９へ搬送する構成である。ラセン搬送筒４４は第二サイクロン４２の接続部から糠パック装置５０側とは反対の方へ適宜長さを有する貯留筒部４４ａに形成し、ギヤドモータ４７の逆転に連動するラセン４５の移送によって糠をこの貯留筒部に一時的に貯留できるよう構成している。ギヤドモータ４７は正転、逆転モードに加え間欠正転モードで糠を糠パック装置５０側に間欠移送できるよう構成している。
【００４３】
前記ギヤドモータ４７は、制御部Ａからの出力を受けて正転、逆転又は間欠正転する構成である。
【００４４】
図１２のタイムチャートに基づき、ギヤドモータ４７によるラセン４５の正逆転制御及び切換弁４０の切換制御の関連について説明する。コインメック２０への料金投入によって精米設備の電源がＯＮする。投入玄米は所定に搬送され精米運転を受ける。運転中糠パック選択スイッチ４６を押すと、ＯＮして糠パックＰ持ち帰りモードとなり、糠パック装置５０が起動する。糠パック装置５０がＯＮすると、糠パック用のフィルム袋を所定に形成して待機させる等の準備工程、糠の供給と１番目の糠パックＰの充填袋詰工程、糠パックＰを取出箇所に送り出す排出及び次の準備工程、２番目の糠パックＰの充填袋詰工程…のように作動する。
【００４５】
次に切換弁４０は前記のように糠収容室３９側又は糠パック装置５０側の２位置に切り換わるが、パック装置ＰのＯＮ作動に関連して以下のように切換制御される。またラセン４５も関連して正逆転制御される。糠パック選択スイッチ４６のＯＮ操作によって、切換弁４０は糠収容室３９側への切換制御は解除され前記準備工程の終了と共に糠パック装置５０側に切り換わる。そして、ラセン４５には連続正転出力がなされ、第二サイクロン４２からの糠を糠パック装置５０へ供給搬送するものであるが、ラセン４５への連続正転出力は糠が糠パックＰに所定に充填される時間Ｔｐに渡って継続される。一方切換弁４０は、時間Ｔｐに達する設定時間ｔ１前に糠収容室３９側に切り換わる。この所定時間ｔ１は、ラセン搬送筒４４内に残留しようとする糠を糠パック装置５０に供給させて糠パックＰを所定に充填できる時間に設定している。
【００４６】
ラセン４５は前記時間Ｔｐに渡り連続正転の後、連続逆転出力される。このラセン４５の連続逆転によってラセン搬送筒４４内に残留する糠を逆送しその一部は残留筒部４４ａに移行して待機できる。
【００４７】
上記連続逆転出力は、糠パック装置５０では糠パックＰの袋口を溶着する封印工程及び糠パックの排出工程並びに次の準備工程中に実行され、この連続逆転出力は所定時間ｔ２経過すると、タイムアップして正転出力に切り換わる。図１２における実施例では、連続逆転出力時間ｔ２は、糠パックＰの袋口を溶着する封印工程時間及び糠パックの排出工程時間並びに次の準備工程時間を合計した時間ｔ３よりも短時間に設定されている。そしてこの連続逆転出力時間ｔ２が経過するとラセン４５は正転出力に切り換わる。実施例では、ラセン４５に間欠正転出力される構成とし、糠パックＰの排出及び次の準備工程が終了し、次の（第２番目の）糠パックＰの充填袋詰工程が開始される時点で連続正転に切り換わる。一方切換弁４０は、前記糠収容室３９側切換えの後、糠パックＰの排出及び次の準備工程の間継続し、第２番目の糠パックＰの充填袋詰工程開始時に糠パック側に切り換えられる。
【００４８】
上記のように、ラセン４５の間欠正転によってラセン搬送筒４４内の残留を予め糠パック装置５０への供給口側に徐々に移送しながら滞留させ、次いで第二サイクロン４２から新たな糠の供給を受けると略同期して連続回転に切り換わり効率的に糠パック装置５０に糠供給できる。とくに、ラセン４５間欠回転は、糠パックＰの排出及び次の準備工程中に行うものであるから、第２番目の糠パックＰの糠充填時間の短縮化が図れる。
【００４９】
図例では、２袋の糠パックＰを充填袋詰し排出すると、精米装置２等の運転時間終了が近づき、１袋の糠パックＰの充填袋詰に要する時間（≒Ｔｐ）を確保できない場合には、糠パック選択スイッチ４６がＯＮ継続であっても糠パックＰの充填袋詰工程を実行せず終了となり、切換弁４０は糠収容室３９側に切り換わり、ラセン４５を駆動するギヤドモータ４７は停止する。なお、精米運転中、糠パック選択スイッチ４６をＯＦＦにすると、同様に、切換弁４０は糠収容室３９側に切り換わり、ラセン４５を駆動するギヤドモータ４７は停止する。
【００５０】
ところで、精米処理における白度の設定によって発生する糠量に差異が生じる。すなわち白度設定器２５による設定で、白度の高い無洗米〜標準の白度を指定すると糠量は大となり、逆に白度が低い、「三分搗き」のような所謂「ぶ搗き」を指定すると糠量は小となるから、前記ラセン４５の連続正転時間Ｔｐにも大小設定を異ならせている。そして、白度が低い設定のときには、ラセン搬送筒４４内に残留する糠が少ないからラセン４５逆転中溜まりにくいため、糠パックＰの排出及び次の準備工程中にも間欠正転を実行しておくことにより、糠を貯めることができ糠パック装置５０への糠供給が効率的である。
【００５１】
また、図１２のタイムチャートの切換弁４０において、糠パックＰの排出及び次の準備工程中、切換弁４０を糠収容室３９側から糠パック装置５０へ切り換える構成としてもよい（図中、点線）。図中実線で示す糠パック装置５０側切換えのタイミングに比較して早目のタイミングで連続正転出力することもでき、糠パック装置５０への糠供給が更に効率的である。
【００５２】
なお、前記実施例において、糠収容容器としての糠収容庫３９は、建屋２１の外に設置する構成としたが、建屋２１の機械室３内適所に配置する構成でもよい。容器形態も種々に構成できる。
【００５３】
図１３，図１４は主に切換弁４０とラセン４５の作動を示したフローチャートで示すものであり、特に図１４は作業終了の一例を示すものである。
【符号の説明】
【００５４】
１  操作室
２  精米装置
３  機械室
１７  玄米ホッパ
２１  建屋
２５  白度設定器
３６  吸引排塵機
３９  糠収容庫（糠収容容器）
４０  切換弁
４４  ラセン搬送筒
４５  ラセン
５０  糠パック装置
Ｐ  糠パック
【図１】
2020142225.tif 000003
【図２】
2020142225.tif 000004
【図３】
2020142225.tif 000005
【図４】
2020142225.tif 000006
【図５】
2020142225.tif 000007
【図６】
2020142225.tif 000008
【図７】
2020142225.tif 000009
【図８】
2020142225.tif 000010
【図９】
2020142225.tif 000011
【図１０】
2020142225.tif 000012
【図１１】
2020142225.tif 000013
【図１２】
2020142225.tif 000014
【図１３】
2020142225.tif 000015
【図１４】
2020142225.tif 000016